(57)【要約】移動局と基地局内の上位管理層とＭＡＣ層間のプリミティブは、移動局がスキャニング手順を行うようにする広帯域無線アクセスシステムのプロトコルスタック層内での動作を明確にするために定義される。ＮＣＭＳ及びＭＩＨ層がこのプリミティブを利用して通信できるので、メディア独立ハンドオーバー（ＭＩＨ）手順が達成できる。より詳しくは、隣接基地局のチャネル品質を確認するために移動局が行うスキャニング動作をサポートするために、移動局内のプロトコルスタック及び基地局内のプロトコルスタックのために使用されるプリミティブを明確に定義する方法に関する。
2008533942.tif 000002
【特許請求の範囲】
【請求項１】
ネットワーク制御管理システム（Ｎｅｔｗｏｒｋ  Ｃｏｎｔｒｏｌ  Ｍａｎａｇｅｍｅｎｔ  Ｓｙｓｔｅｍ：ＮＣＭＳ）からスキャニング要求を示す第１プリミティブを受信する段階と、
前記第１プリミティブを受信した後、スキャニングを行う段階と、
基地局識別子（ＢＳ−ＩＤ）を含むとともに、前記行われたスキャニングに関連する第２プリミティブを前記ＮＣＭＳに伝送する段階と
から構成されることを特徴とする広帯域無線アクセスシステムのスキャニング実行方法。
【請求項２】
前記ＢＳ−ＩＤは、スキャンされた基地局の識別子を示すことを特徴とする請求項１に記載の広帯域無線アクセスシステムのスキャニング実行方法。
【請求項３】
前記スキャニング要求は、スキャニング期間を含むことを特徴とする請求項１に記載の広帯域無線アクセスシステムのスキャニング実行方法。
【請求項４】
前記第２プリミティブは、スキャニング結果を含むことを特徴とする請求項１に記載の広帯域無線アクセスシステムのスキャニング実行方法。
【請求項５】
前記結果は、無線信号を伝送する基地局があるかを示すことを特徴とする請求項４に記載の広帯域無線アクセスシステムのスキャニング実行方法。
【請求項６】
前記結果は、信号強度値を含むことを特徴とする請求項４に記載の広帯域無線アクセスシステムのスキャニング実行方法。
【請求項７】
前記信号強度値は、ＣＩＮＲとＲＳＳＩの少なくとも１つを含むことを特徴とする請求項６に記載の広帯域無線アクセスシステムのスキャニング実行方法。
【請求項８】
前記結果は、前記基地局がメディア独立ハンドオーバー（Ｍｅｄｉａ  Ｉｎｄｅｐｅｎｄｅｎｔ  Ｈａｎｄｏｖｅｒ：ＭＩＨ）機能をサポートできるか否かを示すことを特徴とする請求項４に記載の広帯域無線アクセスシステムのスキャニング実行方法。
【請求項９】
前記ＭＩＨ機能は、少なくともＭＩＨの情報サービスを含むことを特徴とする請求項８に記載の広帯域無線アクセスシステムのスキャニング実行方法。
【請求項１０】
前記第１プリミティブ及び第２プリミティブは、管理サービスアクセスポイント（Ｍ−ＳＡＰ）と制御サービスアクセスポイント（Ｃ−ＳＡＰ）の少なくとも１つを介して伝送されることを特徴とする請求項１に記載の広帯域無線アクセスシステムのスキャニング実行方法。
【請求項１１】
前記ＮＣＭＳは、管理エンティティである独立エンティティ内の層であり、移動局の管理機能をサポートすることを特徴とする請求項１に記載の広帯域無線アクセスシステムのスキャニング実行方法。
【請求項１２】
前記ＢＳ−ＩＤは、基地局を識別する４８ビット長のフィールドで、プログラム可能であり、最上位の２４ビットは、オペレータ識別子として用いられることを特徴とする請求項１に記載の広帯域無線アクセスシステムのスキャニング実行方法。
【請求項１３】
基地局メディアアクセス制御（ＭＡＣ）層から近隣広告メッセージを受信する段階と、
オペレータＩＤ、現在のＢＳ  ＭＩＨ能力、現在のＢＳ情報サービス（ＩＳ）サポート、近隣の数、隣接ＢＳ  ＩＤ、隣接ＢＳ  ＭＩＨ能力、隣接ＢＳ  ＩＳサポート、ＨＯプロセス最適化、利用可能な無線リソース、及びＭＩＨ情報ビットマップからなるパラメータの少なくとも１つを含む近隣指示に関連したプリミティブを前記ＮＣＭＳに伝送する段階とをさらに含むことを特徴とする請求項１に記載の広帯域無線アクセスシステムのスキャニング実行方法。
【請求項１４】
前記ＭＩＨ情報ビットマップは、異種のネットワーク情報を含むことを特徴とする請求項１３に記載の広帯域無線アクセスシステムのスキャニング実行方法。
【請求項１５】
前記異種のネットワーク情報は、前記異種のネットワークがＭＩＨできるか否かを示すことを特徴とする請求項１４に記載の広帯域無線アクセスシステムのスキャニング実行方法。
【請求項１６】
スキャニング要求を示す第１プリミティブをネットワーク制御管理システム（Ｎｅｔｗｏｒｋ  Ｃｏｎｔｒｏｌ  Ｍａｎａｇｅｍｅｎｔ  Ｓｙｓｔｅｍ：ＮＣＭＳ）に伝送する段階と、
基地局識別子（ＢＳ−ＩＤ）を含むとともに、スキャニング実行に関連する第２プリミティブを前記ＮＣＭＳから受信する段階と
から構成されることを特徴とする広帯域無線アクセスシステムのスキャニング実行方法。
【請求項１７】
前記ＢＳ−ＩＤは、スキャンされた基地局の識別子を示すことを特徴とする請求項１６に記載の広帯域無線アクセスシステムのスキャニング実行方法。
【請求項１８】
前記スキャニング要求は、スキャニング期間を含むことを特徴とする請求項１６に記載の広帯域無線アクセスシステムのスキャニング実行方法。
【請求項１９】
前記第２プリミティブは、スキャニング結果を含むことを特徴とする請求項１６に記載の広帯域無線アクセスシステムのスキャニング実行方法。
【請求項２０】
前記結果は、無線信号を伝送する基地局があるか否かを示すことを特徴とする請求項１９に記載の広帯域無線アクセスシステムのスキャニング実行方法。
【請求項２１】
前記結果は、信号強度値を含むことを特徴とする請求項１９に記載の広帯域無線アクセスシステムのスキャニング実行方法。
【請求項２２】
前記信号強度値は、ＣＩＮＲとＲＳＳＩの少なくとも１つを含むことを特徴とする請求項２１に記載の広帯域無線アクセスシステムのスキャニング実行方法。
【請求項２３】
前記結果は、前記基地局がメディア独立ハンドオーバー（ＭＩＨ）機能をサポートできるかを示すことを特徴とする請求項１９に記載の広帯域無線アクセスシステムのスキャニング実行方法。
【請求項２４】
前記ＭＩＨ機能は、少なくともＭＩＨの情報サービスを含むことを特徴とする請求項２３に記載の広帯域無線アクセスシステムのスキャニング実行方法。
【請求項２５】
前記第１プリミティブ及び第２プリミティブは、管理サービスアクセスポイント（Ｍ−ＳＡＰ）と制御サービスアクセスポイント（Ｃ−ＳＡＰ）の少なくとも１つを介して伝送されることを特徴とする請求項１６に記載の広帯域無線アクセスシステムのスキャニング実行方法。
【請求項２６】
前記ＮＣＭＳは、管理エンティティの独立エンティティ内の層であり、移動局の管理機能をサポートすることを特徴とする請求項１６に記載の広帯域無線アクセスシステムのスキャニング実行方法。
【請求項２７】
前記ＢＳ−ＩＤは、基地局を識別する４８ビット長のフィールドで、プログラム可能であり、最上位の２４ビットは、オペレータ識別子として用いられることを特徴とする請求項１６に記載の広帯域無線アクセスシステムのスキャニング実行方法。
【請求項２８】
基地局から近隣広告メッセージを受信した移動局のメディアアクセス制御（ＭＡＣ）層から近隣指示のためのプリミティブを受信したＮＣＭＳから、オペレータＩＤ、現在のＢＳ  ＭＩＨ能力、現在のＢＳ情報サービス（ＩＳ）サポート、近隣の数、隣接ＢＳ  ＩＤ、隣接ＢＳ  ＭＩＨ能力、隣接ＢＳ  ＩＳサポート、ＨＯプロセス最適化、利用可能な無線リソース、及びＭＩＨ情報ビットマップからなるパラメータの少なくとも１つを含む近隣指示に関連したプリミティブを受信する段階をさらに含むことを特徴とする請求項１６に記載の広帯域無線アクセスシステムのスキャニング実行方法。
【請求項２９】
前記ＭＩＨ情報ビットマップは、異種のネットワーク情報を含むことを特徴とする請求項２８に記載の広帯域無線アクセスシステムのスキャニング実行方法。
【請求項３０】
前記異種のネットワーク情報は、前記異種のネットワークがＭＩＨできるか否かを示すことを特徴とする請求項２９に記載の広帯域無線アクセスシステムのスキャニング実行方法。
【請求項３１】
同種のネットワークと異種のネットワークの少なくとも１つと送受信するメッセージを管理するために、前記移動局の上位層に対する統合インタフェースを設定する段階をさらに含むことを特徴とする請求項１６に記載の広帯域無線アクセスシステムのスキャニング実行方法。
【請求項３２】
ネットワーク制御管理システム（Ｎｅｔｗｏｒｋ  Ｃｏｎｔｒｏｌ  Ｍａｎａｇｅｍｅｎｔ  Ｓｙｓｔｅｍ：ＮＣＭＳ）からスキャンスケジューリング要求を示す第１プリミティブを受信する段階と、
スキャンスケジューリング情報を含むスキャニング要求を基地局メディアアクセス制御（ＭＡＣ）層に伝送する段階と、
前記基地局のＭＡＣ層からスキャニング応答を受信する段階と、
前記スキャンスケジューリングの実行結果を示す第２プリミティブを前記ＮＣＭＳに伝送する段階と
から構成されることを特徴とする広帯域無線アクセスシステムのためのスキャンスケジューリング方法。
【請求項３３】
前記第１プリミティブのスキャンスケジューリングは、スキャン期間、スキャン繰り返し、スキャン開始フレーム、及びインターリービング間隔の少なくとも１つを含むことを特徴とする請求項３２に記載の広帯域無線アクセスシステムのためのスキャンスケジューリング方法。
【請求項３４】
前記第２プリミティブのスキャンスケジューリングは、スキャン期間、スキャン繰り返し、スキャン開始フレーム、及びインターリービング間隔の少なくとも１つを含むことを特徴とする請求項３２に記載の広帯域無線アクセスシステムのためのスキャンスケジューリング方法。
【請求項３５】
基地局から近隣広告メッセージを受信した移動局のメディアアクセス制御（ＭＡＣ）層から近隣指示のためのプリミティブを受信した移動局ＮＣＭＳから、オペレータＩＤ、現在のＢＳ  ＭＩＨ能力、現在のＢＳ情報サービス（ＩＳ）サポート、近隣の数、隣接ＢＳ  ＩＤ、隣接ＢＳ  ＭＩＨ能力、隣接ＢＳ  ＩＳサポート、ＨＯプロセス最適化、利用可能な無線リソース、及びＭＩＨ情報ビットマップからなるパラメータの少なくとも１つを含む近隣指示に関連したプリミティブを受信する段階をさらに含むことを特徴とする請求項３２に記載の広帯域無線アクセスシステムのためのスキャンスケジューリング方法。
【請求項３６】
前記ＭＩＨ情報ビットマップは、異種のネットワーク情報を含むことを特徴とする請求項３５に記載の広帯域無線アクセスシステムのためのスキャンスケジューリング方法。
【請求項３７】
前記異種のネットワーク情報は、前記異種のネットワークがＭＩＨできるか否かを示すことを特徴とする請求項３６に記載の広帯域無線アクセスシステムのためのスキャンスケジューリング方法。
【請求項３８】
移動局のメディアアクセス制御（ＭＡＣ）層からスキャンスケジューリング情報を含むスキャニング要求を受信する段階と、
受信されたスキャンスケジューリング要求を示す第１プリミティブを基地局のネットワーク制御管理システム（ＮＣＭＳ）に伝送する段階と、
行われたスキャンスケジューリングを示す第２プリミティブを前記基地局のＮＣＭＳから受信する段階と、
前記移動局のＭＡＣ層にスキャニング応答を伝送する段階と
から構成されることを特徴とする広帯域無線アクセスシステムのためのスキャンスケジューリング方法。
【請求項３９】
前記第１プリミティブのスキャンスケジューリングは、スキャン期間、スキャン繰り返し、スキャン開始フレーム、及びインターリービング間隔の少なくとも１つを含むことを特徴とする請求項３８に記載の広帯域無線アクセスシステムのためのスキャンスケジューリング方法。
【請求項４０】
前記第２プリミティブのスキャンスケジューリングは、スキャン期間、スキャン繰り返し、スキャン開始フレーム、及びインターリービング間隔の少なくとも１つを含むことを特徴とする請求項３８に記載の広帯域無線アクセスシステムのためのスキャンスケジューリング方法。
【請求項４１】
前記ＭＳ  ＭＡＣ層がＭＳ  ＭＣＮＳにオペレータＩＤ、現在のＢＳ  ＭＩＨ能力、現在のＢＳ情報サービス（ＩＳ）サポート、近隣の数、隣接ＢＳ  ＩＤ、隣接ＢＳ  ＭＩＨ能力、隣接ＢＳ  ＩＳサポート、ＨＯプロセス最適化、利用可能な無線リソース、及びＭＩＨ情報ビットマップからなるパラメータの少なくとも１つを含む近隣指示に関連したプリミティブを伝送できるようにするために、近隣広告メッセージを移動局のメディアアクセス制御（ＭＡＣ）層に伝送する段階をさらに含むことを特徴とする請求項３８に記載の広帯域無線アクセスシステムのためのスキャンスケジューリング方法。
【請求項４２】
前記ＭＩＨ情報ビットマップは、異種のネットワーク情報を含むことを特徴とする請求項４１に記載の広帯域無線アクセスシステムのためのスキャンスケジューリング方法。
【請求項４３】
前記異種のネットワーク情報は、前記異種のネットワークがＭＩＨできるか否かを示すことを特徴とする請求項４２に記載の広帯域無線アクセスシステムのためのスキャンスケジューリング方法。
【請求項４４】
スキャンスケジューリング要求を示す第１プリミティブをＮＣＭＳに伝送する段階と、
前記ＮＣＭＳからスキャンスケジューリングの実行結果を示す第２プリミティブを受信する段階と
から構成されることを特徴とする広帯域無線アクセスシステムのためのスキャンスケジューリング方法。
【請求項４５】
前記スキャンスケジューリングは、スキャン期間、スキャン繰り返し、スキャン開始フレーム、及びインターリービング間隔の少なくとも１つを含むことを特徴とする請求項４４に記載の広帯域無線アクセスシステムのためのスキャンスケジューリング方法。
【請求項４６】
前記第１プリミティブ及び第２プリミティブは、管理サービスアクセスポイント（Ｍ−ＳＡＰ）と制御サービスアクセスポイント（Ｃ−ＳＡＰ）の少なくとも１つを介して送受信されることを特徴とする請求項４４に記載の広帯域無線アクセスシステムのためのスキャンスケジューリング方法。
【請求項４７】
基地局から近隣広告メッセージを受信した移動局のメディアアクセス制御（ＭＡＣ）層から近隣指示のためのプリミティブを受信した前記ＮＣＭＳから、オペレータＩＤ、現在のＢＳ  ＭＩＨ能力、現在のＢＳ情報サービス（ＩＳ）サポート、近隣の数、隣接ＢＳ  ＩＤ、隣接ＢＳ  ＭＩＨ能力、隣接ＢＳ  ＩＳサポート、ＨＯプロセス最適化、利用可能な無線リソース、及びＭＩＨ情報ビットマップからなるパラメータの少なくとも１つを含む近隣指示に関連したプリミティブを受信する段階をさらに含むことを特徴とする請求項４４に記載の広帯域無線アクセスシステムのためのスキャンスケジューリング方法。
【請求項４８】
前記ＭＩＨ情報ビットマップは、異種のネットワーク情報を含むことを特徴とする請求項４７に記載の広帯域無線アクセスシステムのためのスキャンスケジューリング方法。
【請求項４９】
前記異種のネットワーク情報は、前記異種のネットワークがＭＩＨできるか否かを示すことを特徴とする請求項４８に記載の広帯域無線アクセスシステムのためのスキャンスケジューリング方法。
【請求項５０】
同種のネットワークと異種のネットワークの少なくとも１つと送受信するメッセージを管理するために、前記基地局の上位層に対する統合インタフェースを設定する段階をさらに含むことを特徴とする請求項４４に記載の広帯域無線アクセスシステムのためのスキャンスケジューリング方法。
【請求項５１】
スキャニング手順を行う段階と、
移動局のネットワーク制御管理システム（Ｎｅｔｗｏｒｋ  Ｃｏｎｔｒｏｌ  Ｍａｎａｇｅｍｅｎｔ  Ｓｙｓｔｅｍ：ＮＣＭＳ）からスキャン報告要求を示す第１プリミティブを受信する段階と、
基地局にスキャン報告を伝送する段階と、
基地局へのスキャン報告の伝送結果を含むスキャン報告確認を示す第２プリミティブを前記移動局のＮＣＭＳに伝送する段階と
から構成されることを特徴とする広帯域無線アクセスシステムのためのスキャン報告方法。
【請求項５２】
前記結果は、無線信号を伝送する基地局があるか否かを示すことを特徴とする請求項５１に記載の広帯域無線アクセスシステムのためのスキャン報告方法。
【請求項５３】
前記結果は、信号強度値を含むことを特徴とする請求項５１に記載の広帯域無線アクセスシステムのためのスキャン報告方法。
【請求項５４】
前記信号強度値は、ＣＩＮＲとＲＳＳＩの少なくとも１つを含むことを特徴とする請求項５３に記載の広帯域無線アクセスシステムのためのスキャン報告方法。
【請求項５５】
前記結果は、前記基地局がメディア独立ハンドオーバー（ＭＩＨ）機能をサポートできるかを示すことを特徴とする請求項５１に記載の広帯域無線アクセスシステムのためのスキャン報告方法。
【請求項５６】
前記ＭＩＨ機能は、少なくともＭＩＨの情報サービスを含むことを特徴とする請求項５５に記載の広帯域無線アクセスシステムのためのスキャン報告方法。
【請求項５７】
スキャン報告要求を示す第１プリミティブをネットワーク制御管理システム（ＮＣＭＳ）に伝送する段階と、
基地局へのスキャン報告の伝送結果を含むスキャン報告確認を示す第２プリミティブを前記ＮＣＭＳから受信する段階と
から構成されることを特徴とする広帯域無線アクセスシステムのためのスキャン報告方法。
【請求項５８】
前記結果は、無線信号を伝送する基地局があるか否かを示すことを特徴とする請求項５７に記載の広帯域無線アクセスシステムのためのスキャン報告方法。
【請求項５９】
前記結果は、信号強度値を含むことを特徴とする請求項５７に記載の広帯域無線アクセスシステムのためのスキャン報告方法。
【請求項６０】
前記信号強度値は、ＣＩＮＲとＲＳＳＩの少なくとも１つを含むことを特徴とする請求項５９に記載の広帯域無線アクセスシステムのためのスキャン報告方法。
【請求項６１】
前記結果は、前記基地局がメディア独立ハンドオーバー（ＭＩＨ）機能をサポートできるか否かを示すことを特徴とする請求項５７に記載の広帯域無線アクセスシステムのためのスキャン報告方法。
【請求項６２】
前記ＭＩＨ機能は、少なくともＭＩＨの情報サービスを含むことを特徴とする請求項６１に記載の広帯域無線アクセスシステムのためのスキャン報告方法。
【請求項６３】
第１プリミティブ及び第２プリミティブは、管理サービスアクセスポイント（Ｍ−ＳＡＰ）と制御サービスアクセスポイント（Ｃ−ＳＡＰ）の少なくとも１つを介して伝送されることを特徴とする請求項５７に記載の広帯域無線アクセスシステムのためのスキャン報告方法。
【請求項６４】
同種のネットワークと異種のネットワークの少なくとも１つと送受信するメッセージを管理するために、前記移動局の上位層に対する統合インタフェースを設定する段階をさらに含むことを特徴とする請求項５７に記載の広帯域無線アクセスシステムのためのスキャン報告方法。
【請求項６５】
データ及び制御プレーン並びに管理プレーンを含むプロトコルスタックと、
前記プロトコルスタックと通信するネットワーク制御管理システム（ＮＣＭＳ）と、
前記プロトコルスタックと前記ＮＣＭＳ間に位置してプリミティブがその間で送受信されるようにする管理サービスアクセスポイント（Ｍ−ＳＡＰ）及び制御サービスアクセスポイント（Ｃ−ＳＡＰ）と、
前記プロトコルスタック及びＮＣＭＳ上に位置してプリミティブが１つ以上のＭＩＨサービスアクセスポイントを介してその間で送受信されるようにするメディア独立ハンドオーバー（ＭＩＨ）層と
から構成されることを特徴とする広帯域無線アクセスシステムのためのプロトコルアーキテクチャ。
【請求項６６】
データ及び制御プレーン並びに管理プレーンを含むプロトコルスタックと、
前記プロトコルと通信するネットワーク制御管理システム（ＮＣＭＳ）と、
前記プロトコルスタックと前記ＮＣＭＳ間で広帯域無線アクセスシステムのスキャニング実行方法に関連した情報を伝達するように定義された複数のプリミティブが保存されたメモリと、
前記プロトコルスタック、前記ＮＣＭＳ、及び前記メモリと連動して前記プリミティブを利用して広帯域無線アクセスシステムのスキャニング実行方法を行うプロセッサと
から構成されることを特徴とする移動局。
【請求項６７】
前記プロトコルスタック及び前記ＮＣＭＳ上に位置して、プリミティブが上位管理エンティティとプロトコルスタック間、又は上位管理エンティティとＮＣＭＳ間、又は上位管理エンティティとプロトコルスタック及びＮＣＭＳ間でメディア独立ハンドオーバー提供に関連した情報を伝達するように定義できるようにする上位管理エンティティをさらに含むことを特徴とする請求項６６に記載の移動局。
【請求項６８】
データ及び制御プレーン並びに管理プレーンからなるプロトコルスタックと、
前記プロトコルスタックと通信するネットワーク制御管理システム（ＮＣＭＳ）と、
前記プロトコルスタックと前記ＮＣＭＳ間で広帯域無線アクセスシステムのスキャニング実行方法に関連した情報を伝達するように定義される複数のプリミティブが保存されたメモリと、
前記プロトコルスタック、前記ＮＣＭＳ、及び前記メモリと連動して前記プリミティブを利用して広帯域無線アクセスシステムのスキャニング実行方法を行うプロセッサと
から構成されることを特徴とする基地局。
【請求項６９】
前記プロトコルスタック及び前記ＮＣＭＳ上に位置して、プリミティブが上位管理エンティティとプロトコルスタック間、又は上位管理エンティティとＮＣＭＳ間、又は上位管理エンティティとプロトコルスタック及びＮＣＭＳ間でメディア独立ハンドオーバー提供に関連した情報を伝達するように定義できるようにする上位管理エンティティをさらに含むことを特徴とする請求項６８に記載の基地局。
【発明の詳細な説明】
【技術分野】
【０００１】
本発明は、広帯域無線アクセスシステム（Ｂｒｏａｄｂａｎｄ  Ｗｉｒｅｌｅｓｓ  Ａｃｃｅｓｓ  Ｓｙｓｔｅｍ）に関し、より詳しくは、隣接基地局のチャネル品質を確認するために移動局が行うスキャニング動作をサポートするために、移動局内のプロトコルスタック及び基地局内のプロトコルスタックのために使用されるプリミティブを明確に定義する方法に関する。
【背景技術】
【０００２】
無線接続システムに対する国際標準化を進行中のＩＥＥＥ８０２．１６ｅのシステムは、従来の第２世代、第３世代移動通信システムとは異なり、ＨＬＲ（Ｈｏｍｅ  Ｌｏｃａｔｉｏｎ  Ｒｅｇｉｓｔｅｒ）、ＶＬＲ（Ｖｉｓｉｔｏｒ  Ｌｏｃａｔｉｏｎ  Ｒｅｇｉｓｔｅｒ）、ＭＳＣ（Ｍｏｂｉｌｅ  Ｓｗｉｔｃｈｉｎｇ  Ｃｅｎｔｅｒ）、ＢＳＣ（Ｂａｓｅ  Ｓｔａｔｉｏｎ  Ｃｏｎｔｒｏｌｌｅｒ）、ＲＮＣ（Ｒａｄｉｏ  Ｎｅｔｗｏｒｋ  Ｃｏｎｔｒｏｌｌｅｒ）などの階層アーキテクチャを備えておらず、代りに、ＭＳＳ（Ｍｏｂｉｌｅ  Ｓｕｂｓｃｒｉｂｅｒ  Ｓｔａｔｉｏｎ）、ＢＳ（Ｂａｓｅ  Ｓｔａｔｉｏｎ）、及びＡＳＡ（Ａｕｔｈｅｎｔｉｃａｔｉｏｎ  Ｓｅｒｖｉｃｅ  Ａｕｔｈｏｒｉｚａｔｉｏｎ）のみから構成される。
【０００３】
広帯域無線アクセスシステムは、基地局と移動局（ｍｏｂｉｌｅ  ｓｔａｔｉｏｎ：ＭＳＳ）間で共通するメディアアクセス制御（Ｍｅｄｉｕｍ  Ａｃｃｅｓｓ  Ｃｏｎｔｒｏｌ：ＭＡＣ）層と物理（ＰＨＹｓｉｃａｌ）層のプロトコルを定義する。図１は、広帯域無線アクセスシステムのプロトコル階層アーキテクチャの一例を示す。
【０００４】
図２は、従来技術による無線接続システムにおける隣接基地局情報検索及びブロードキャストの手順を示す。
【０００５】
移動局（ＭＳＳ）がサービング基地局から隣接基地局情報ブロードキャストメッセージ（ＭＯＢ＿ＮＢＲ−ＡＤＶ）を受信する場合［Ｓ２１］、前記移動局は、前記サービング基地局からのデータ受信を一時的に中断し、隣接基地局のチャネル品質測定を行うための所定の時間（ｄｕｒａｔｉｏｎ＝Ｎ  ｆｒａｍｅｓ）を取得するためにスキャン要求メッセージ（ＭＯＢ＿ＳＣＮ−ＲＥＱ）を伝送する［Ｓ２２］。前記移動局が隣接基地局のチャネル品質を測定する間、前記サービング基地局は、前記移動局へのデータ伝送を中止して保存しておき、前記移動局により要求されたスキャニング（検索）時間が完了した後、そのデータを伝送する。前記ＭＯＢ＿ＮＢＲ−ＡＤＶは、前記サービング基地局が前記移動局に隣接基地局に関する情報を提供するためにブロードキャストするメッセージであり、隣接基地局の総数、隣接基地局の識別子、隣接基地局が使用する周波数、隣接基地局のチャネル情報などを含む。
【０００６】
前記移動局から伝送されたスキャン要求メッセージ（ＭＯＢ＿ＳＣＮ−ＲＥＱ）に対する応答として、前記サービング基地局は、スキャン応答メッセージ（ＭＯＢ＿ＳＣＮ−ＲＳＰ）を伝送する［Ｓ２３］。図２において、前記サービング基地局は、Ｍ番目のフレームからＮ番目のフレームまでの隣接基地局のチャネル品質測定を行うための時間が保障される。すなわち、前記移動局と前記サービング基地局間のスキャン要求メッセージ及びスキャン応答メッセージにより前記移動局が要求したスキャニング（検索）期間が保障され、前記移動局とサービング基地局は、保障された期間が前記Ｍ番目のフレーム後に始まらなければならないことに同意する。その後、前記移動局は、前記保障されたスキャニング期間に隣接基地局のチャネル品質を測定する［Ｓ２４、Ｓ２５］。前記移動局は、スキャニング結果報告メッセージ（ＭＯＢ＿ＳＣＡＮ−ＲＥＰＯＲＴ）を伝送することにより、スキャニング結果を前記サービング基地局に提供する［Ｓ２６］。
【発明の開示】
【発明が解決しようとする課題】
【０００７】
前述したように、従来技術において、スキャニングを行うために移動局により利用されるとともに、基地局と送受信されるメッセージは定義されているが、実際にスキャニングに関する移動局内のプロトコルスタック（層）及び基地局内のプロトコルスタック（層）の動作は定義されていない。すなわち、移動局と基地局のそれぞれのプロトコルスタック内でＮＣＭＳ（Ｎｅｔｗｏｒｋ  Ｃｏｎｔｒｏｌ  Ｍａｎａｇｅｍｅｎｔ  Ｓｙｓｔｅｍ）を介してＭＡＣ層と上位管理エンティティ間で伝達される情報に対するプリミティブが定義されていない。
【課題を解決するための手段】
【０００８】
本発明の一態様は、前述したような従来の問題に対する本発明者らの認識を含む。このような問題を解決するために、本発明は、移動局がスキャニング手順を行うことができるように、広帯域無線アクセスシステムにおけるプロトコルスタック層内の動作を明確にするために、上位管理層とＭＡＣ間のプリミティブを定義する方法を提供する。
【発明の効果】
【０００９】
本発明により定義されたプリミティブを利用して移動局がスキャニングを行うとき、プロトコルスタック層内で正確な動作が達成できる。これにより、ＮＣＭＳ及びＭＩＨ層がプリミティブを利用して直接又は間接方式で通信できるため、メディア独立ハンドオーバー（Ｍｅｄｉａ  Ｉｎｄｅｐｅｎｄｅｎｔ  Ｈａｎｄｏｖｅｒ：ＭＩＨ）手順が達成できる。
【発明を実施するための最良の形態】
【００１０】
本発明は、８０２．１６ｅネットワークなどの広帯域無線アクセスシステムにおいて実現されると説明されている。しかし、本発明の概念と内容は、一般的な技術に基づいて類似した方法で動作する多様な通信方式に適用できるため、本発明は、他のタイプの通信仕様（例えば、８０２．１６ｇ、８０２．２１、８０２．１１ｕなど）に準拠した通信システムにおいて採択して実現することもできる。以下、本発明は、添付図面を参照して説明するが、本発明の実施形態はこれに限定されない。
【００１１】
また、本発明の所定態様において、エンティティ、インタフェース、プリミティブ、メッセージなどの特定名称について説明されるが、当業者は、他の名称（ラベル、用語など）の機能が本発明により説明される機能に対応する限り他の名称も使用できるので、そのような名称に限定されないことを明確に理解するであろう。
【００１２】
本発明は、ネットワーク制御管理システム（ＮＣＭＳ）を介してＭＡＣ層から必要な上位管理エンティティにプリミティブを伝送することにより、システム（移動局又は基地局）の管理及び制御を行うエンティティがＭＡＣ層及びＰＨＹ層を管理できるようにする方法を提供する。特に、前記移動局がスキャニングを行うとき、前記移動局と前記基地局内のプロトコルスタックにおいて前記ＮＣＭＳを介して前記ＭＡＣ層と前記上位管理エンティティ間で伝送される必要のあるプリミティブを定義する方法を提供する。
【００１３】
以下、管理エンティティとは、前記ＮＣＭＳとインタフェースされる全てのエンティティをいい、これは、機器内のＩＰ層又はその上位層に存在する任意の論理的管理エンティティ又は物理的管理エンティティでもよい。本発明の動作は、ＮＣＭＳを介して上位管理エンティティから管理ＳＡＰ（Ｍａｎａｇｅｍｅｎｔ  ＳＡＰ：Ｍ−ＳＡＰ）又は制御ＳＡＰ（Ｃｏｎｔｒｏｌ  ＳＡＰ：Ｃ−ＳＡＰ）に通信が行われるため、前記ＮＣＭＳが直接プリミティブを伝送（伝達）するように見える。
【００１４】
本発明において使用される前記上位管理エンティティは、図１に示すように、プロトコルスタック内の階層管理エンティティの上位に位置し、前記ＮＣＭＳ又は階層管理エンティティの管理ＳＡＰを介して通信する物理的又は論理的上位管理エンティティに区分される。前記上位管理エンティティは、特定プロトコルスタック内に存在してもよく、別途の独立したシステム又はスタックとして存在してもよいが、概念的に上位管理エンティティという。
【００１５】
図３は、メディア独立ハンドオーバー（ＭＩＨ）を考慮したプロトコルアーキテクチャモデルの一例を示す。
【００１６】
本発明により提供されるプリミティブは、管理ＳＡＰ（Ｍ−ＳＡＰ）又は制御ＳＡＰ（Ｃ−ＳＡＰ）を介してネットワーク制御管理システム（ＮＣＭＳ）に伝送され、前記ＮＣＭＳは、前記プリミティブを前記上位管理エンティティを含む必要な位置に伝達する。
【００１７】
前記Ｍ−ＳＡＰは、システム構成の実行、モニタリング統計、通知／トリガなどの機能を有するが、これに限定されない。前記Ｃ−ＳＡＰは、ハンドオーバー実行（例えば、ＭＳからのＨＯ要求の通知など）、アイドルモード移動性管理（例えば、ｍｏｂｉｌｅ  ｅｎｔｅｒｉｎｇ  ｉｄｌｅ  ｍｏｄｅ）、加入者及びセッション管理（例えば、ｍｏｂｉｌｅ  ｒｅｑｕｅｓｔｉｎｇ  ｓｅｓｓｉｏｎ  ｓｅｔｕｐ）、無線リソース管理などの機能を有するが、これに限定されない。本発明のプリミティブは前記機能により区分され、前記プリミティブは、前記管理ＳＡＰ及び／又は制御ＳＡＰを介して伝送できる。
【００１８】
図４及び図５は、本発明によりプリミティブが動作する原理を示す。遠隔エンティティ（ｒｅｍｏｔｅ  ｅｎｔｉｔｙ）と相互作用を要求するプリミティブを図４に示し、ローカルスタック（ｌｏｃａｌ  ｓｔａｃｋ）内でのみ伝送されるプリミティブを図５に示す。
【００１９】
図４に示すように、遠隔エンティティと連動する場合、「Ｒｅｑｕｅｓｔ」と「Ｃｏｎｆｉｒｍａｔｉｏｎ」又は「Ｒｅｓｐｏｎｓｅ」と「Ｉｎｄｉｃａｔｉｏｎ」からなる一対の動作が行われる。
【００２０】
図５に示すように、ローカルスタック内で動作が行われるときは、管理エンティティとＮＣＭＳ間の相互交換（すなわち、双方向動作）が行われる状況、又は単方向動作が行われる状況の２つの状況がある。双方向動作の場合、Ｍ−ＳＡＰ／Ｃ−ＳＡＰを介した前記管理エンティティから前記ＮＣＭＳへの伝送を「Ｒｅｑｕｅｓｔ」といい、伝送されるその応答を「Ｉｎｄｉｃａｔｉｏｎ」という。単方向動作の場合、前記Ｍ−ＳＡＰ／Ｃ−ＳＡＰを介した前記管理エンティティから前記ＮＣＭＳへの伝送を「Ｒｅｑｕｅｓｔ」といい、その反対方向における単方向伝送を「Ｉｎｄｉｃａｔｉｏｎ」という。
【００２１】
本発明によるプリミティブは、マルチモード移動局の場合、管理エンティティが該当モードを命令するとき、又は該当モードが全ての前記マルチモードを管理するエンティティに情報を伝達するときに使用される。このような場合、以下の２つの状況がある。
【００２２】
第１に、ＭＩＨ層又はＭＩＨ機能から下位層にプリミティブを伝送する場合、該当プリミティブを伝送するときに前記ＭＩＨ（層又は機能）が上位層から受信した情報（例えば、命令など）を解釈するか、前記上位層情報（命令）が本発明の命令とマッピングされて伝送される。
【００２３】
第２に、前記下位層からＭＩＨ層又はＭＩＨ機能にプリミティブを伝送する場合、上位層に伝送される該当プリミティブ（すなわち、ＭＩＨにおいて定義される統合プリミティブ）を伝送するときに前記ＭＩＨ（層又は機能）が下位層から受信したプリミティブを解釈するか、前記下位層のプリミティブ及び前記上位層に伝送されるプリミティブが単にマッピングされて伝送される。
【００２４】
メディア独立ハンドオーバー（ＭＩＨ）において使用されると、本発明により定義されるプリミティブが前記ＮＣＭＳとＭＩＨ間のＳＡＰ又は前記管理エンティティとＭＩＨ間のＳＡＰを介して伝送されるので、ＭＩＨ技術が実現できる。
【００２５】
広帯域無線アクセスシステムにおけるスキャニング実行方法は、基地局から伝送された隣接基地局情報ブロードキャストメッセージ（ＭＯＢ＿ＮＢＲ−ＡＤＶ）を移動局のＭＡＣ層により受信する段階と、前記ＭＡＣ層により、前記隣接基地局情報ブロードキャストメッセージに含まれた情報を第１プリミティブにより上位管理エンティティに伝送する段階と、前記ＭＡＣ層においてスキャニングが行われなければならないことを示す第２プリミティブを前記上位管理エンティティから伝送する段階と、隣接基地局に対して前記ＭＡＣ層においてスキャニングを行う段階と、前記ＭＡＣ層が前記スキャニングの結果を第３プリミティブにより前記上位管理階層に伝送する段階とからなる。
【００２６】
移動局が、基地局と送受信されるＭＡＣメッセージと、本発明により提供されるプリミティブとを利用してスキャニングを行うために、前記移動局と基地局内でＮＣＭＳを介して上位管理エンティティとＭＡＣ層間で行われる動作を説明する実施形態を、添付された図６及び図７を参照して説明する。
【００２７】
図６は、本発明の好ましい一実施形態を示すフローチャートであり、前記移動局は、前記基地局にスキャニング要求を提供せずにスキャニングを行う。前記基地局から伝送される隣接基地局情報がなくても、前記移動局はスキャニングを要求することができ、前記移動局は独自にスキャニングを行うことができる。
【００２８】
前記移動局のＭＡＣ層は、前記基地局からＭＯＢ＿ＮＢＲ−ＡＤＶメッセージを受信し［Ｓ５１］、Ｍ＿Ｎｅｉｇｈｂｏｒ−ｉｎｄｉｃａｔｉｏｎプリミティブにより前記メッセージに含まれた情報を移動局の上位管理エンティティに伝達できる［Ｓ５２］。前記ＭＯＢ＿ＮＢＲ−ＡＤＶは、前記基地局が前記移動局に隣接基地局に関する情報を提供するためにブロードキャストするメッセージであり、前記ＭＯＢ＿ＮＢＲ−ＡＤＶメッセージには、基地局の総数、隣接基地局の識別子、隣接基地局が使用する周波数、隣接基地局のチャネル情報などが含まれる。
【００２９】
前記移動局のＮＣＭＳエンティティは、前記移動局のＭＡＣ層にスキャニングを行うように指示するＭ＿ｓｃａｎｎｉｎｇ．ｒｅｑｕｅｓｔを伝送する［Ｓ５３］。前記移動局のＭＡＣ層は、スキャニングを行なった後［Ｓ５４］、その結果をＭ＿Ｓｃａｎｎｉｎｇ．ｃｏｎｆｉｒｍａｔｉｏｎプリミティブにより上位管理エンティティに伝送する［Ｓ５５］。
【００３０】
図７は、本発明の好ましい他の実施形態を示すフローチャートであり、移動局が基地局にスキャニングを要求した後、スキャニングが行なわれる。
【００３１】
移動局のＭＡＣ層は、基地局からＭＯＢ＿ＮＢＲ−ＡＤＶメッセージを受信した後［Ｓ６１］、前記基地局にＭＯＢ＿ＳＣＮ−ＲＥＱメッセージ要求を指示するためにＭ＿ＳｃａｎＳｃｈｅｄｕｌｉｎｇ．ｒｅｑｕｅｓｔプリミティブを用いてこのメッセージに含まれた情報を移動局の上位管理エンティティに伝達する［Ｓ６３］。
【００３２】
移動局のＭＡＣ層は、基地局のＭＡＣ層にＭＯＢ＿ＳＣＮ−ＲＥＱメッセージを送信し［Ｓ６４］、Ｍ＿ＳｃａｎＳｃｈｅｄｕｌｉｎｇ．ｉｎｄｉｃａｔｉｏｎプリミティブにより前記ＭＯＢ＿ＳＣＮ−ＲＥＱメッセージの内容を基地局の上位管理エンティティに伝達する［Ｓ６５］。
【００３３】
ここで、スキャンスケジューリングは、スキャン期間、スキャン繰り返し、スキャン開始フレーム、及びインターリービング間隔から少なくとも１つの要素を含むことに注目すべきである。
【００３４】
前記基地局の上位管理エンティティは、前記移動局のスキャニング期間及び開始フレームをスケジューリングした後、これをＭ＿ＳｃａｎＳｃｈｅｄｕｌｉｎｇ．ｒｅｓｐｏｎｓｅプリミティブにより前記基地局のＭＡＣ層に伝送する［Ｓ６６］。
【００３５】
前記基地局のＭＡＣ層は、ＭＯＢ＿ＳＣＮ−ＲＳＰメッセージを前記移動局に伝送して前記ＭＯＢ＿ＳＣＮ−ＲＥＱメッセージに応答する［Ｓ６７］。
【００３６】
前記移動局のＭＡＣ層は、前記基地局からＭＯＢ＿ＮＢＲ−ＲＳＰメッセージを受信した後、これを移動局の上位管理エンティティにＭ＿ＳｃａｎＳｃｈｅｄｕｌｉｎｇ．ｉｎｄｉｃａｔｉｏｎプリミティブにより伝送する［Ｓ６８］。前記移動局の上位管理エンティティは、前記移動局のＭＡＣ層にスキャニングを行うように指示するＭ＿Ｓｃａｎｎｉｎｇ．ｒｅｑｕｅｓｔプリミティブを伝送する［Ｓ６９］。前記移動局のＭＡＣ層は、スキャニングを行った後、［Ｓ７０］、その結果をＭ＿Ｓｃａｎｎｉｎｇ．ｃｏｎｆｉｒｍａｔｉｏｎプリミティブにより前記移動局の上位管理エンティティに伝送する［Ｓ７１］。前記移動局の上位管理エンティティは、前記移動局のＭＡＣ層にＭ＿ＳｃａｎＲｅｐｏｒｔ．ｒｅｑｕｅｓｔプリミティブを伝送し［Ｓ７２］、前記基地局にＭＯＢ＿ＳＣＡＮ−ＲＥＰＯＲＴメッセージを送信するように指示する。前記移動局のＭＡＣ層は、前記ＭＯＢ＿ＳＣＡＮ−ＲＥＰＯＲＴメッセージを前記基地局に送信した後［Ｓ７３］、これをＭ＿ＳｃａｎＲｅｐｏｒｔ．ｃｏｎｆｉｒｍａｔｉｏｎプリミティブにより前記移動局の上位管理エンティティに伝送する［Ｓ７４］。
【００３７】
図６及び図７を参照して説明してきたように、以下、前記移動局によるスキャニング実行及び前記基地局からのスキャニング要求のために管理ＳＡＰ（Ｍ＿ＳＡＰ）及び／又は制御ＳＡＰ（Ｃ＿ＳＡＰ）を介して伝送されるプリミティブについて詳細に説明する。
【００３８】
（１）Ｍ＿Ｎｅｉｇｈｂｏｒ．ｉｎｄｉｃａｔｉｏｎプリミティブ
１）機能
Ｍ＿Ｎｅｉｇｈｂｏｒ．ｉｎｄｉｃａｔｉｏｎは、ＭＡＣ管理メッセージとして受信された隣接基地局に関する情報を提供するために、前記Ｍ−ＳＡＰを介して前記移動局のＭＡＣ層から上位管理エンティティに伝送されたプリミティブである。
【００３９】
２）セマンティクス
Ｍ＿Ｎｅｉｇｈｂｏｒ．ｉｎｄｉｃａｔｉｏｎ
｛
Ｓｏｕｒｃｅ，
Ｄｅｓｔｉｎａｔｉｏｎ，
Ｏｐｅｒａｔｏｒ  ＩＤ，
Ｎ＿Ｎｅｉｇｈｂｏｒｓ
Ｎｅｉｇｈｂｏｒ  ＢＳ−ＩＤ，
ＨＯ  Ｐｒｏｃｅｓｓ  Ｏｐｔｉｍｉｚａｔｉｏｎ，
Ａｖａｉｌａｂｌｅ  Ｒａｄｉｏ  Ｒｅｓｏｕｒｃｅ
｝
次の表は、Ｍ＿Ｎｅｉｇｈｂｏｒ．ｉｎｄｉｃａｔｉｏｎプリミティブのデータフォーマットの一例を示す。
【００４０】
【表１】
2008533942.tif 000003
３）生成時点
Ｍ＿Ｎｅｉｇｈｂｏｒ．ｉｎｄｉｃａｔｉｏｎプリミティブは、移動局のＭＡＣ層が基地局からＭＯＢ＿ＮＢＲ−ＡＤＶメッセージを受信した後、メッセージに含まれている必須の情報を上位管理エンティティに伝達するために生成される。
【００４１】
４）受信時の効果
上位管理エンティティは、移動局のＭＡＣ層から前記Ｍ＿Ｎｅｉｇｈｂｏｒ．ｉｎｄｉｃａｔｉｏｎプリミティブを受信して隣接基地局に関する情報を取得する。
【００４２】
（２）Ｍ＿ＳｃａｎＳｃｈｅｄｕｌｉｎｇ．ｒｅｑｕｅｓｔプリミティブ
１）機能
Ｍ＿ＳｃａｎＳｃｈｅｄｕｌｉｎｇ．ｒｅｑｕｅｓｔは、上位管理エンティティが前記基地局のＭＡＣ層に、スキャニングを目的として、前記基地局にＭＢＯ＿ＳＣＮ−ＲＥＱメッセージを送信するように指示するプリミティブである。
【００４３】
２）セマンティクス
Ｍ＿ＳｃａｎＳｃｈｅｄｕｌｉｎｇ．ｒｅｑｕｅｓｔ
｛
Ｓｏｕｒｃｅ，
Ｄｅｓｔｉｎａｔｉｏｎ，
Ｓｃａｎ  ｄｕｒａｔｉｏｎ，
ＢＳ−ＩＤ
｝
次の表は、Ｍ＿ＳｃａｎＳｃｈｅｄｕｌｉｎｇ．ｒｅｑｕｅｓｔプリミティブのデータフォーマットの一例を示す。
【００４４】
【表２】
2008533942.tif 000004
３）生成時点
Ｍ＿ＳｃａｎＳｃｈｅｄｕｌｉｎｇ．ｒｅｑｕｅｓｔプリミティブは、移動局の上位管理エンティティが移動局のＭＡＣ層にＭＯＢ＿ＳＣＮ−ＲＥＱメッセージを基地局に送信するように指示するために生成される。
【００４５】
４）受信時の効果
移動局のＭＡＣ層は、前記Ｍ＿ＳｃａｎＳｃｈｅｄｕｌｉｎｇ．ｒｅｑｕｅｓｔプリミティブを受信した後、基地局にＭＯＢ＿ＳＣＮ−ＲＥＱメッセージを送信する。
【００４６】
（３）Ｍ＿ＳｃａｎＳｃｈｅｄｕｌｉｎｇ．ｉｎｄｉｃａｔｉｏｎプリミティブ
１）機能
Ｍ＿ＳｃａｎＳｃｈｅｄｕｌｉｎｇ．ｉｎｄｉｃａｔｉｏｎは、基地局のＭＡＣ層が移動局から受信したＭＯＢ＿ＳＣＮ−ＲＥＱメッセージ関連情報を前記基地局の上位管理エンティティに伝達するためのプリミティブである。
【００４７】
２）セマンティクス
Ｍ＿ＳｃａｎＳｃｈｅｄｕｌｉｎｇ．ｉｎｄｉｃａｔｉｏｎ
｛
Ｓｏｕｒｃｅ，
Ｄｅｓｔｉｎａｔｉｏｎ，
ＭＳ  ＭＡＣ  Ａｄｄｒｅｓｓ，
Ｓｃａｎ  ｄｕｒａｔｉｏｎ
｝
次の表は、Ｍ＿ＳｃａｎＳｃｈｅｄｕｌｉｎｇ．ｉｎｄｉｃａｔｉｏｎプリミティブのデータフォーマットの一例を示す。
【００４８】
【表３】
2008533942.tif 000005
３）生成時点
Ｍ＿ＳｃａｎＳｃｈｅｄｕｌｉｎｇ．ｉｎｄｉｃａｔｉｏｎプリミティブは、基地局のＭＡＣ層が移動局からＭＯＢ＿ＳＣＮ−ＲＥＱメッセージを受信した後、基地局の上位管理エンティティに該当情報を伝達するために生成される。
【００４９】
４）受信時の効果
前記Ｍ＿ＳｃａｎＳｃｈｅｄｕｌｉｎｇ．ｉｎｄｉｃａｔｉｏｎプリミティブを受信した後、移動局のスキャニング要求を許可するか拒否するかを決定する。
【００５０】
（４）Ｍ＿ＳｃａｎＳｃｈｅｄｕｌｉｎｇ．ｒｅｓｐｏｎｓｅプリミティブ
１）機能
Ｍ＿ＳｃａｎＳｃｈｅｄｕｌｉｎｇ．ｒｅｓｐｏｎｓｅは、基地局の上位管理エンティティが移動局のスキャニング要求に対する結果を基地局のＭＡＣ層に伝達するためのプリミティブである。
【００５１】
２）セマンティクス
Ｍ−ＳｃａｎＳｃｈｅｄｕｌｉｎｇ．ｒｅｓｐｏｎｓｅ
｛
Ｓｏｕｒｃｅ，
Ｄｅｓｔｉｎａｔｉｏｎ，
ＭＳ  ＭＡＣ  Ａｄｄｒｅｓｓ，
Ｓｃａｎ  ｄｕｒａｔｉｏｎ，
Ｓｔａｒｔ  ｆｒａｍｅ
｝
次の表は、Ｍ＿ＳｃａｎＳｃｈｅｄｕｌｉｎｇ．ｒｅｓｐｏｎｓｅプリミティブのデータフォーマットの一例を示す。
【００５２】
【表４】
2008533942.tif 000006
３）生成時点
Ｍ＿ＳｃａｎＳｃｈｅｄｕｌｉｎｇ．ｒｅｓｐｏｎｓｅプリミティブは、基地局の上位管理エンティティが移動局に対するスキャン要求の結果を決定した後、基地局のＭＡＣ層に該当情報を伝達するために生成される。
【００５３】
４）受信時の効果
前記基地局のＭＡＣ層は、このプリミティブを受信した後、移動局にＭＯＢ＿ＳＣＮ−ＲＳＰメッセージを送信する。
【００５４】
（５）Ｍ＿ＳｃａｎＳｃｈｅｄｕｌｉｎｇ．ｃｏｎｆｉｒｍａｔｉｏｎプリミティブ
１）機能
Ｍ＿ＳｃａｎＳｃｈｅｄｕｌｉｎｇ．ｃｏｎｆｉｒｍａｔｉｏｎは、移動局のＭＡＣ層がＭＯＢ＿ＳＣＮ−ＲＥＱメッセージを受信した後、受信されたメッセージに関する情報を移動局の上位管理エンティティに伝達するために使用されるプリミティブである。
【００５５】
２）セマンティクス
Ｍ＿ＳｃａｎＳｃｈｅｄｕｌｉｎｇ．ｃｏｎｆｉｒｍａｔｉｏｎ
｛
Ｓｏｕｒｃｅ，
Ｄｅｓｔｉｎａｔｉｏｎ，
Ｓｃａｎ  ｄｕｒａｔｉｏｎ，
Ｓｔａｒｔ  ｆｒａｍｅ
｝
次の表は、Ｍ＿ＳｃａｎＳｃｈｅｄｕｌｉｎｇ．ｃｏｎｆｉｒｍａｔｉｏｎプリミティブのデータフォーマットの一例を示す。
【００５６】
【表５】
2008533942.tif 000007
３）生成時点
Ｍ＿ＳｃａｎＳｃｈｅｄｕｌｉｎｇ．ｃｏｎｆｉｒｍａｔｉｏｎプリミティブは、移動局のＭＡＣ層が基地局から応答として受信されたスキャン関連情報をＮＣＭＳ又は管理エンティティに伝達するために生成される。
【００５７】
４）受信時の効果
移動局の上位管理エンティティは、伝達されたプリミティブに含まれた情報に基づいて移動局にスキャニングを指示する。
【００５８】
（６）Ｍ＿Ｓｃａｎｎｉｎｇ．ｒｅｑｕｅｓｔプリミティブ
１）機能
Ｍ＿Ｓｃａｎｎｉｎｇ．ｒｅｑｕｅｓｔプリミティブは、移動局の上位管理エンティティが移動局のＭＡＣ層にスキャニングを指示するために使用するプリミティブである。
【００５９】
２）セマンティクス
Ｍ＿Ｓｃａｎｎｉｎｇ．ｒｅｑｕｅｓｔ
｛
Ｓｏｕｒｃｅ，
Ｄｅｓｔｉｎａｔｉｏｎ，
Ｓｃａｎ  ｄｕｒａｔｉｏｎ
Ｌｉｎｋ  Ｑｕａｌｉｔｙ  Ｔｈｒｅｓｈｏｌｄ
Ｌｉｎｋ  Ｓｔａｔｕｓ  Ｒｅｐｏｒｔ  Ｐｅｒｉｏｄ
｝
次の表は、Ｍ＿Ｓｃａｎｎｉｎｇ．ｒｅｑｕｅｓｔプリミティブのデータフォーマットの一例を示す。
【００６０】
【表６】
2008533942.tif 000008
３）生成時点
Ｍ＿Ｓｃａｎｎｉｎｇ．ｒｅｑｕｅｓｔプリミティブは、移動局の上位管理エンティティが移動局のＭＡＣ層にスキャンを指示するために生成される。
【００６１】
４）受信時の効果
移動局のＭＡＣ層は、このプリミティブを受信した後、スキャニングを行う。
【００６２】
（７）Ｍ＿Ｓｃａｎｉｎｇ．ｃｏｎｆｉｒｍａｔｉｏｎプリミティブ
１）機能
Ｍ＿Ｓｃａｎｎｉｎｇ．ｃｏｎｆｉｒｍａｔｉｏｎは、移動局のＭＡＣ層がスキャニングを行った結果を移動局の上位管理エンティティに伝達するために使用するプリミティブである。このスキャン結果は、ＤＬ＿ＭＡＰ、ＦＣＨ又は近隣広告（Ｎｅｉｇｈｂｏｒ  Ａｄｖｅｒｔｉｓｅｍｅｎｔ）などのブロードキャストされるメッセージを含み、これらにより、基地局は、ＭＩＨがサポートされるか否か、及びＩＳ（Ｉｎｆｏｒｍａｔｉｏｎ  Ｓｅｒｖｉｃｅ）がサポートされるか否かを判断し、サポートされると判断された場合、これら情報（ＭＩＨ  Ｃａｐａｂｉｌｉｔｙ、ＩＳサポートされるか否か）が含まれる。複数の基地局をスキャンしてその複数の基地局に関する情報を伝達する場合、１つのメッセージに複数の基地局に関する情報を繰り返し含めて伝達するか、複数のメッセージ（スキャンされた基地局の総数）を伝達することができる。
【００６３】
２）セマンティクス
Ｍ＿Ｓｃａｎｎｉｎｇ．ｃｏｎｆｉｒｍａｔｉｏｎ
｛
Ｓｏｕｒｃｅ，
Ｄｅｓｔｉｎａｔｉｏｎ，
ＲｅｓｕｌｔＣｏｄｅ，
ＢＳ  ＩＤ，
ＭＩＨ  Ｃａｐａｂｉｌｉｔｙ，
Ｅｖｅｎｔ  Ｓｅｒｖｉｃｅ  Ｓｕｐｐｏｒｔｅｄ，
Ｃｏｍｍａｎｄ  Ｓｅｒｖｉｃｅ  Ｓｕｐｐｏｒｔｅｄ，
ＩＳ  Ｓｕｐｐｏｒｔ，
ＣＩＮＲ，
ＲＳＳＩ
｝
次の表は、Ｍ＿Ｓｃａｎｎｉｎｇ．ｃｏｎｆｉｒｍａｔｉｏｎプリミティブのデータフォーマットの一例を示す。
【００６４】
【表７】
2008533942.tif 000009
３）生成時点
Ｍ＿Ｓｃａｎｎｉｎｇ．ｃｏｎｆｉｒｍａｔｉｏｎプリミティブは、移動局により行われたスキャンの結果を移動局の上位管理エンティティに伝達するために生成される。
【００６５】
４）受信時の効果
移動局の上位管理エンティティは、このプリミティブを受信した後、利用可能な基地局に対してハンドオーバーを決定する。
【００６６】
（８）Ｍ＿ＳｃａｎＲｅｐｏｒｔ．ｒｅｑｕｅｓｔプリミティブ
１）機能
Ｍ＿ＳｃａｎＲｅｐｏｒｔ．ｒｅｑｕｅｓｔは、スキャン結果を基地局に報告するように移動局の上位管理エンティティが移動局に指示するために使用するプリミティブである。
【００６７】
２）セマンティクス
Ｍ＿ＳｃａｎＲｅｐｏｒｔ．ｒｅｑｕｅｓｔ
｛
Ｓｏｕｒｃｅ，
Ｄｅｓｔｉｎａｔｉｏｎ
｝
次の表は、Ｍ＿ＳｃａｎＲｅｐｏｒｔ．ｒｅｑｕｅｓｔプリミティブのデータフォーマットの一例を示す。
【００６８】
【表８】
2008533942.tif 000010
３）生成時点
Ｍ＿ＳｃａｎＲｅｐｏｒｔ．ｒｅｑｕｅｓｔは、ＭＯＢ＿ＳＣＡＮ−ＲＥＰＯＲＴメッセージを基地局に送信するように移動局の上位管理エンティティが移動局に指示するために生成される。
【００６９】
４）受信時の効果
移動局のＭＡＣ層は、Ｍ＿ＳｃａｎＲｅｐｏｒｔ．ｒｅｑｕｅｓｔプリミティブを受信した後、基地局にＭＯＢ＿ＳＣＡＮ−ＲＥＰＯＲＴメッセージを送信する。
【００７０】
（９）Ｍ＿ＳｃａｎＲｅｐｏｒｔ．ｃｏｎｆｉｒｍａｔｉｏｎプリミティブ
１）機能
Ｍ＿ＳｃａｎＲｅｐｏｒｔ．ｃｏｎｆｉｒｍａｔｉｏｎは、移動局のＭＡＣ層が基地局にＭＯＢ＿ＳＣＡＮ−ＲＥＰＯＲＴを伝送した後、この事実を移動局の上位管理エンティティに通知するために使用されるプリミティブである。
【００７１】
２）セマンティクス
Ｍ＿ＳｃａｎＲｅｐｏｒｔ．ｃｏｎｆｉｒｍａｔｉｏｎ
｛
Ｓｏｕｒｃｅ，
Ｄｅｓｔｉｎａｔｉｏｎ，
ＲｅｓｕｌｔＣｏｄｅ
｝
次の表は、Ｍ＿ＳｃａｎＲｅｐｏｒｔ．ｃｏｎｆｉｒｍａｔｉｏｎプリミティブのデータフォーマットの一例を示す。
【００７２】
【表９】
2008533942.tif 000011
３）生成時点
Ｍ＿ＳｃａｎＲｅｐｏｒｔ．ｃｏｎｆｉｒｍａｔｉｏｎは、移動局のＭＡＣ層がスキャン結果を基地局に伝送した後、この事実を移動局の上位管理エンティティに報告するために生成されたプリミティブである。
【００７３】
４）受信時の効果
移動局の上位管理エンティティは、移動局がＭＯＢ＿ＳＣＡＮ−ＲＥＰＯＲＴメッセージ送信を完了したことを認知する。
【００７４】
前述された多様な特徴を実行するために、本発明は、様々なタイプのハードウェア及び／又はソフトウェア構成要素（モジュール）を採択できる。例えば、それぞれのハードウェアモジュールは、前記方法の段階を行うために必要な多様な回路と構成要素を含む。また、それぞれのソフトウェアモジュール（プロセッサ及び／又は他のハードウェアにより行われる）は、本発明の方法の段階を行うために必要な多様なコードとプロトコルを含む。
【００７５】
（ＭＡＣの観点で）スキャニングのために、本発明は、広帯域無線アクセスシステムのスキャニング実行方法を提供し、前記方法は、ネットワーク制御管理システム（ＮＣＭＳ）からスキャニング要求を示す第１プリミティブを受信する段階と、前記第１プリミティブを受信した後、スキャニングを行う段階と、基地局識別子（ＢＳ−ＩＤ）を含むとともに、前記行われたスキャニングに関連する第２プリミティブを前記ＮＣＭＳに伝送する段階とから構成される。前記ＢＳ−ＩＤは、スキャンされた基地局の識別子を示す。前記スキャニング要求は、スキャニング期間を含む。前記第２プリミティブは、スキャニング結果を含む。前記結果は、無線信号を伝送する基地局があるかを示す。前記結果は、信号強度値を含む。前記信号強度値は、ＣＩＮＲとＲＳＳＩの少なくとも１つを含む。前記結果は、前記基地局がメディア独立ハンドオーバー（ＭＩＨ）機能をサポートできるか否かを示す。前記ＭＩＨ機能は、少なくともＭＩＨの情報サービスを含む。前記第１プリミティブ及び第２プリミティブは、管理サービスアクセスポイント（Ｍ−ＳＡＰ）と制御サービスアクセスポイント（Ｃ−ＳＡＰ）の少なくとも１つを介して伝送される。前記ＮＣＭＳは、管理エンティティである独立エンティティ内の層であり、移動局の管理機能をサポートする。前記ＢＳ−ＩＤは、基地局を識別する４８ビット長のフィールドで、プログラム可能であり、最上位の２４ビットは、オペレータ識別子として用いられる。
【００７６】
（ＭＳ  ＭＡＣの観点で）近隣指示のために、前記方法は、基地局メディアアクセス制御（ＭＡＣ）層から近隣広告メッセージを受信する段階と、オペレータＩＤ、現在のＢＳ  ＭＩＨ能力、現在のＢＳ情報サービス（ＩＳ）サポート、近隣の数、隣接ＢＳ  ＩＤ、隣接ＢＳ  ＭＩＨ能力、隣接ＢＳ  ＩＳサポート、ＨＯプロセス最適化、利用可能な無線リソース、及びＭＩＨ情報ビットマップからなるパラメータの少なくとも１つを含む近隣指示に関連したプリミティブを前記ＮＣＭＳに伝送する段階とをさらに含む。前記ＭＩＨ情報ビットマップは、異種のネットワーク情報を含む。前記異種のネットワーク情報は、前記異種のネットワークがＭＩＨできるか否かを示す。
【００７７】
（ＭＩＨの観点で）スキャニングのために、本発明は、広帯域無線アクセスシステムのスキャニング実行方法を提供し、前記方法は、スキャニング要求を示す第１プリミティブをネットワーク制御管理システム（ＮＣＭＳ）に伝送する段階と、基地局識別子（ＢＳ−ＩＤ）を含むとともに、スキャニング実行に関連する第２プリミティブを前記ＮＣＭＳから受信する段階とから構成される。前記ＢＳ−ＩＤは、スキャンされた基地局の識別子を示す。前記スキャニング要求は、スキャニング期間を含む。前記第２プリミティブは、スキャニング結果を含む。前記結果は、無線信号を伝送する基地局があるか否かを示す。前記結果は、信号強度値を含む。前記信号強度値は、ＣＩＮＲとＲＳＳＩの少なくとも１つを含む。前記結果は、前記基地局がメディア独立ハンドオーバー（ＭＩＨ）機能をサポートできるかを示す。前記ＭＩＨ機能は、少なくともＭＩＨの情報サービスを含む。前記第１プリミティブ及び第２プリミティブは、管理サービスアクセスポイント（Ｍ−ＳＡＰ）と制御サービスアクセスポイント（Ｃ−ＳＡＰ）の少なくとも１つを介して伝送される。前記ＮＣＭＳは、管理エンティティの独立エンティティ内の層であり、移動局の管理機能をサポートする。前記ＢＳ−ＩＤは、基地局を識別する４８ビット長のフィールドで、プログラム可能であり、最上位の２４ビットは、オペレータ識別子として用いられる。
【００７８】
（ＭＩＨの観点で）近隣指示のために、前記方法は、基地局から近隣広告メッセージを受信した移動局のメディアアクセス制御（ＭＡＣ）層から近隣指示のためのプリミティブを受信したＮＣＭＳから、オペレータＩＤ、現在のＢＳ  ＭＩＨ能力、現在のＢＳ情報サービス（ＩＳ）サポート、近隣の数、隣接ＢＳ  ＩＤ、隣接ＢＳ  ＭＩＨ能力、隣接ＢＳ  ＩＳサポート、ＨＯプロセス最適化、利用可能な無線リソース、及びＭＩＨ情報ビットマップからなるパラメータの少なくとも１つを含む近隣指示に関連したプリミティブを受信する段階をさらに含む。前記ＭＩＨ情報ビットマップは、異種のネットワーク情報を含む。前記異種のネットワーク情報は、前記異種のネットワークがＭＩＨできるか否かを示す。前記方法は、同種のネットワークと異種のネットワークの少なくとも１つと送受信するメッセージを管理するために、前記移動局の上位層に対する統合インタフェースを設定する段階をさらに含む。
【００７９】
（ＭＳ  ＭＡＣの観点で）スキャンスケジューリングのために、本発明は、広帯域無線アクセスシステムのためのスキャンスケジューリング方法を提供し、前記方法は、ネットワーク制御管理システム（ＮＣＭＳ）からスキャンスケジューリング要求を示す第１プリミティブを受信する段階と、スキャンスケジューリング情報を含むスキャニング要求を基地局メディアアクセス制御（ＭＡＣ）層に伝送する段階と、前記基地局のＭＡＣ層からスキャニング応答を受信する段階と、前記スキャンスケジューリングの実行結果を示す第２プリミティブを前記ＮＣＭＳに伝送する段階とから構成される。前記第１プリミティブのスキャンスケジューリングは、スキャン期間、スキャン繰り返し、スキャン開始フレーム、及びインターリービング間隔の少なくとも１つを含む。前記第２プリミティブのスキャンスケジューリングは、スキャン期間、スキャン繰り返し、スキャン開始フレーム、及びインターリービング間隔の少なくとも１つを含む。
【００８０】
（ＭＳ  ＭＡＣの観点で）近隣指示のために、前記方法は、基地局から近隣広告メッセージを受信した移動局のメディアアクセス制御（ＭＡＣ）層から近隣指示のためのプリミティブを受信した移動局ＮＣＭＳから、オペレータＩＤ、現在のＢＳ  ＭＩＨ能力、現在のＢＳ情報サービス（ＩＳ）サポート、近隣の数、隣接ＢＳ  ＩＤ、隣接ＢＳ  ＭＩＨ能力、隣接ＢＳ  ＩＳサポート、ＨＯプロセス最適化、利用可能な無線リソース、及びＭＩＨ情報ビットマップからなるパラメータの少なくとも１つを含む近隣指示に関連したプリミティブを受信する段階をさらに含む。前記ＭＩＨ情報ビットマップは、異種のネットワーク情報を含む。前記異種のネットワーク情報は、前記異種のネットワークがＭＩＨできるか否かを示す。
【００８１】
（ＢＳ  ＭＡＣの観点で）スキャンスケジューリングのために、本発明は、広帯域無線アクセスシステムのためのスキャンスケジューリング方法を提供し、前記方法は、移動局のメディアアクセス制御（ＭＡＣ）層からスキャンスケジューリング情報を含むスキャニング要求を受信する段階と、受信されたスキャンスケジューリング要求を示す第１プリミティブを基地局のネットワーク制御管理システム（ＮＣＭＳ）に伝送する段階と、行われたスキャンスケジューリングを示す第２プリミティブを前記基地局のＮＣＭＳから受信する段階と、前記移動局のＭＡＣ層にスキャニング応答を伝送する段階とから構成される。前記第１プリミティブのスキャンスケジューリングは、スキャン期間、スキャン繰り返し、スキャン開始フレーム、及びインターリービング間隔の少なくとも１つを含む。前記第２プリミティブのスキャンスケジューリングは、スキャン期間、スキャン繰り返し、スキャン開始フレーム、及びインターリービング間隔の少なくとも１つを含む。
【００８２】
（ＢＳ  ＭＡＣの観点で）近隣指示のために、前記方法は、前記ＭＳ  ＭＡＣ層がＭＳ  ＭＣＮＳにオペレータＩＤ、現在のＢＳ  ＭＩＨ能力、現在のＢＳ情報サービス（ＩＳ）サポート、近隣の数、隣接ＢＳ  ＩＤ、隣接ＢＳ  ＭＩＨ能力、隣接ＢＳ  ＩＳサポート、ＨＯプロセス最適化、利用可能な無線リソース、及びＭＩＨ情報ビットマップからなるパラメータの少なくとも１つを含む近隣指示に関連したプリミティブを伝送できるようにするために、近隣広告メッセージを移動局のメディアアクセス制御（ＭＡＣ）層に伝送する段階をさらに含む。前記ＭＩＨ情報ビットマップは、異種のネットワーク情報を含む。前記異種のネットワーク情報は、前記異種のネットワークがＭＩＨできるか否かを示す。
【００８３】
（ＭＩＨの観点で）スキャンスケジューリングのために、本発明は、広帯域無線アクセスシステムのためのスキャンスケジューリング方法を提供し、前記方法は、スキャンスケジューリング要求を示す第１プリミティブをＮＣＭＳに伝送する段階と、前記ＮＣＭＳからスキャンスケジューリングの実行結果を示す第２プリミティブを受信する段階とから構成される。前記スキャンスケジューリングは、スキャン期間、スキャン繰り返し、スキャン開始フレーム、及びインターリービング間隔の少なくとも１つを含む。前記第１プリミティブ及び第２プリミティブは、管理サービスアクセスポイント（Ｍ−ＳＡＰ）と制御サービスアクセスポイント（Ｃ−ＳＡＰ）の少なくとも１つを介して送受信される。
【００８４】
（ＭＩＨの観点で）近隣指示のために、前記方法は、基地局から近隣広告メッセージを受信した移動局のメディアアクセス制御（ＭＡＣ）層から近隣指示のためのプリミティブを受信した前記ＮＣＭＳから、オペレータＩＤ、現在のＢＳ  ＭＩＨ能力、現在のＢＳ情報サービス（ＩＳ）サポート、近隣の数、隣接ＢＳ  ＩＤ、隣接ＢＳ  ＭＩＨ能力、隣接ＢＳ  ＩＳサポート、ＨＯプロセス最適化、利用可能な無線リソース、及びＭＩＨ情報ビットマップからなるパラメータの少なくとも１つを含む近隣指示に関連したプリミティブを受信する段階をさらに含む。前記ＭＩＨ情報ビットマップは、異種のネットワーク情報を含む。前記異種のネットワーク情報は、前記異種のネットワークがＭＩＨできるか否かを示す。前記方法は、同種のネットワークと異種のネットワークの少なくとも１つと送受信するメッセージを管理するために、前記基地局の上位層に対する統合インタフェースを設定する段階をさらに含む。
【００８５】
（ＭＳ  ＭＡＣの観点で）スキャン報告のために、本発明は、広帯域無線アクセスシステムのためのスキャンスケ報告方法を提供し、前記方法は、スキャニング手順を行う段階と、移動局のネットワーク制御管理システム（ＮＣＭＳ）からスキャン報告要求を示す第１プリミティブを受信する段階と、基地局にスキャン報告を伝送する段階と、基地局へのスキャン報告の伝送結果を含むスキャン報告確認を示す第２プリミティブを前記移動局のＮＣＭＳに伝送する段階とから構成される。前記結果は、無線信号を伝送する基地局があるか否かを示す。前記結果は、信号強度値を含む。前記信号強度値は、ＣＩＮＲとＲＳＳＩの少なくとも１つを含む。前記結果は、前記基地局がメディア独立ハンドオーバー（ＭＩＨ）機能をサポートできるかを示す。前記ＭＩＨ機能は、少なくともＭＩＨの情報サービスを含む。
【００８６】
（ＭＩＨ観点で）スキャン報告のために、本発明は、広帯域無線アクセスシステムのためのスキャン報告方法を提供し、前記方法は、スキャン報告要求を示す第１プリミティブをネットワーク制御管理システム（ＮＣＭＳ）に伝送する段階と、基地局へのスキャン報告の伝送結果を含むスキャン報告確認を示す第２プリミティブを前記ＮＣＭＳから受信する段階とから構成される。前記結果は、無線信号を伝送する基地局があるか否かを示す。前記結果は、信号強度値を含む。前記信号強度値は、ＣＩＮＲとＲＳＳＩの少なくとも１つを含む。前記結果は、前記基地局がメディア独立ハンドオーバー（ＭＩＨ）機能をサポートできるか否かを示す。前記ＭＩＨ機能は、少なくともＭＩＨの情報サービスを含む。第１プリミティブ及び第２プリミティブは、管理サービスアクセスポイント（Ｍ−ＳＡＰ）と制御サービスアクセスポイント（Ｃ−ＳＡＰ）の少なくとも１つを介して伝送される。前記方法は、同種のネットワークと異種のネットワークの少なくとも１つと送受信するメッセージを管理するために、前記移動局の上位層に対する統合インタフェースを設定する段階をさらに含む。
【００８７】
前記ＳＡＰのために、本発明は、データ及び制御プレーン並びに管理プレーンを含むプロトコルスタックと、前記プロトコルスタックと通信するネットワーク制御管理システム（ＮＣＭＳ）と、前記プロトコルスタックと前記ＮＣＭＳ間に位置してプリミティブがその間で送受信されるようにする管理サービスアクセスポイント（Ｍ−ＳＡＰ）及び制御サービスアクセスポイント（Ｃ−ＳＡＰ）と、前記プロトコルスタック及びＮＣＭＳ上に位置してプリミティブが１つ以上のＭＩＨサービスアクセスポイントを介してその間で送受信されるようにするメディア独立ハンドオーバー（ＭＩＨ）層とから構成される広帯域無線アクセスシステムのためのプロトコルアーキテクチャを提供する。
【００８８】
前記ＭＳに保存されたプリミティブのために、本発明は、データ及び制御プレーン並びに管理プレーンを含むプロトコルスタックと、前記プロトコルと通信するネットワーク制御管理システム（ＮＣＭＳ）と、前記プロトコルスタックと前記ＮＣＭＳ間で広帯域無線アクセスシステムのスキャニング実行方法に関連した情報を伝達するように定義された複数のプリミティブが保存されたメモリと、前記プロトコルスタック、前記ＮＣＭＳ、及び前記メモリと連動して前記プリミティブを利用して広帯域無線アクセスシステムのスキャニング実行方法を行うプロセッサとから構成される移動局を提供する。前記移動局は、前記プロトコルスタック及び前記ＮＣＭＳ上に位置して、プリミティブが上位管理エンティティとプロトコルスタック間、又は上位管理エンティティとＮＣＭＳ間、又は上位管理エンティティとプロトコルスタック及びＮＣＭＳ間でメディア独立ハンドオーバー提供に関連した情報を伝達するように定義できるようにする上位管理エンティティをさらに含む。
【００８９】
前記ＢＳに保存されたプリミティブのために、本発明は、データ及び制御プレーン並びに管理プレーンからなるプロトコルスタックと、前記プロトコルスタックと通信するネットワーク制御管理システム（ＮＣＭＳ）と、前記プロトコルスタックと前記ＮＣＭＳ間で広帯域無線アクセスシステムのスキャニング実行方法に関連した情報を伝達するように定義された複数のプリミティブが保存されたメモリと、前記プロトコルスタック、前記ＮＣＭＳ、及び前記メモリと連動して前記プリミティブを利用して広帯域無線アクセスシステムのスキャニング実行方法を行うプロセッサとから構成される基地局を提供する。前記基地局は、前記プロトコルスタック及び前記ＮＣＭＳ上に位置して、プリミティブが上位管理エンティティとプロトコルスタック間、又は上位管理エンティティとＮＣＭＳ間、又は上位管理エンティティとプロトコルスタック及びＮＣＭＳ間でメディア独立ハンドオーバー提供に関連した情報を伝達するように定義できるようにする上位管理エンティティをさらに含む。
【００９０】
本明細書は、本発明の多様な実施形態を示す。請求の範囲は、本明細書に記載の実施形態の多様な変形及び同等な修正を含む。従って、請求項は、ここに記載された本発明の精神及び範囲内の変更、同等な構造及び特性を含むように広範囲に解釈されるべきである。
【図面の簡単な説明】
【００９１】
発明の理解を容易にするために添付され、本明細書の一部を構成する図面は、発明の多様な実施形態を示し、明細書と共に発明の原理を説明するためのものである。
【図１】広帯域無線アクセスシステムのプロトコル階層アーキテクチャの一例を示す図である。
【図２】従来技術による広帯域無線アクセスシステムにおける隣接基地局情報検索及びブロードキャストの手順を示す図である。
【図３】メディア独立ハンドオーバー（ＭＩＨ）を考慮したプロトコルアーキテクチャモデルの一例を示す図である。
【図４】本発明によるプリミティブが動作する原理を示す図である。
【図５】本発明によるプリミティブが動作する原理を示す図である。
【図６】本発明の好ましい一実施形態を示すフローチャートである。
【図７】本発明の好ましい他の実施形態を示すフローチャートである。
【図１】
2008533942.tif 000012
【図２】
2008533942.tif 000013
【図３】
2008533942.tif 000014
【図４】
2008533942.tif 000015
【図５】
2008533942.tif 000016
【図６】
2008533942.tif 000017
【図７】
2008533942.tif 000018
【国際調査報告】
2008533942.tif 000019
2008533942.tif 000020